(57)【要約】【課題】韓紙が付与する仄かで高級な見掛けを現しながらも、寸法安全性、施工性及び壁面隠蔽力などに優れた壁紙を提供する。【解決手段】寸法安定層；及び寸法安定層の片面または両面に形成された韓紙を含む。【選択図】図１
0003172434.tif 000002
【実用新案登録請求の範囲】
【請求項１】
寸法安定層；及び
寸法安定層の片面または両面に形成された韓紙を含むことを特徴とする、壁紙。
【請求項２】
寸法安定層は、ガラス纎維、炭素纎維、ポリエステル纎維、ポリアミド纎維、ポリウレタン纎維、アクリル纎維、ポリオレフィン繊維、セルロース纎維及びパルプよりなる群から選ばれた１種以上の織布または不織布であることを特徴とする、請求項１に記載の壁紙。
【請求項３】
寸法安定層はポリエステル纎維及びパルプを含む不織布であることを特徴とする、請求項１に記載の壁紙。
【請求項４】
寸法安定層は厚さが０．１ｍｍ〜２．０ｍｍであることを特徴とする、請求項１に記載の壁紙。
【請求項５】
韓紙は寸法安定層の片面または両面に接着剤で付着されていることを特徴とする、請求項１に記載の壁紙。
【請求項６】
韓紙の厚さが０．０２ｍｍ〜１．０ｍｍであることを特徴とする、請求項１に記載の壁紙。
【請求項７】
韓紙は二重混抄紙であることを特徴とする、請求項５に記載の壁紙。
【請求項８】
韓紙の上部に形成された印刷層を含むことを特徴とする、請求項１に記載の壁紙。
【考案の詳細な説明】
【技術分野】
【０００１】
本考案は寸法安定層；及び寸法安定層の片面または両面に形成された韓紙を含む壁紙に関する。
【背景技術】
【０００２】
インテリア壁紙のような飾り製品は、通常壁面のような被着面を保護し、装飾的な効果を付与するために使われる。
韓紙製壁紙は白上紙などの壁紙用原紙上に接着剤などで韓紙を付着させたもので、仄かで高級な見掛けを現す高級壁紙である。
しかし、韓紙製壁紙は、韓紙と壁紙用原紙の収縮率の違いなどによって継ぎ目連結施工がなだらかになされなく、韓紙製壁紙製品そのものの重量が小さくて施工性が落ち、壁面隠蔽力に劣るという問題点がある。
また、壁紙用原紙として白上紙を用いる場合、見掛けの高級な感じも低下するという問題点がある。
【考案の概要】
【考案が解決しようとする課題】
【０００３】
本考案は韓紙が付与する仄かで高級な見掛けを現しながらも、寸法安全性、施工性及び壁面隠蔽力などに優れた壁紙を提供することをその目的とする。
【課題を解決するための手段】
【０００４】
本考案は、前記課題を解決するための手段として、寸法安定層；及び前記寸法安定層の片面または両面に形成された韓紙を含む壁紙を提供する。
【考案の効果】
【０００５】
本考案は寸法安定層の片面または両面に韓紙を形成する。これにより、本考案は、韓紙が付与する仄かで高級な見掛けを現しながらも、寸法安全性、施工性及び壁面隠蔽力などに優れた韓紙製壁紙を提供することができる。
【図面の簡単な説明】
【０００６】
【図１】本考案による寸法安定層の一面に韓紙が形成された壁紙を示す断面図である。
【図２】寸法安定層の両面に韓紙が形成された壁紙を示す断面図である。
【図３】印刷層がさらに形成された壁紙を示す断面図である。
【考案を実施するための形態】
【０００７】
本考案は、寸法安定層；及び寸法安定層の片面または両面に形成された韓紙を含む壁紙に関する。
以下、本考案の壁紙をより詳細に説明する。
【０００８】
本考案による壁紙１００は、図１または図２に示すように、寸法安定層１１０及び前記寸法安定層１１０の片面または両面に形成された韓紙１２０を含む。
本考案の寸法安定層は壁紙に強度を付与し、温度と湿度などによって発生する壁紙の寸法変化を抑制する役目をすることができる。
前記寸法安定層の種類は特に制限されるものではなく、例えばガラス纎維、炭素纎維、ポリエステル纎維、ポリアミド纎維、ポリウレタン纎維、アクリル纎維、ポリオレフィン繊維、セルロース纎維及びパルプよりなる群から選ばれた１種以上の織布または不織布を使うことができる。
【０００９】
本考案は、特にポリエステル纎維及びパルプを含む不織布を使うことが好ましい。前記ポリエステル纎維及びパルプを含む不織布は環境に優しい素材でありながらも、製造工程効率を高め、製造コストを節減することができ、他の素材に比べて優れた寸法安全性、施工性及び壁面隠蔽力などを提供することができる。また、前記のような不織布を使うことにより、製造コストを節減することができる。
【００１０】
本考案において、前記寸法安定層を製造する方法は特別に制限されなく、前述したそれぞれの成分から一般的な織造法または製紙法で製造することができる。
本考案の寸法安定層の厚さは特に制限されなく、例えば０．１ｍｍ〜２．０ｍｍであることができる。前記寸法安定層の厚さが０．１ｍｍ未満であれば、寸法安全性補強効果などが低いおそれがあり、２．０ｍｍを超えれば、壁紙の施工性が低下するおそれがある。
【００１１】
本考案において、韓紙は寸法安定層の片面または両面に形成される。壁紙に韓紙を使うことにより、壁紙に韓紙自らの仄かで高級な見掛けを付与することができる。
【００１２】
前記韓紙の種類は特に制限されないもので、例えばコウゾまたはミツマタを原料とした韓紙を使うか、あるいは二重混抄紙を使うことができる。
前記コウゾまたはミツマタを原料とした韓紙の製造方法は特に制限されるものではなく、例えば下記のような方法で製造することができる。
前記韓紙の製造は、まず、コウゾまたはミツマタを水洗して不純物を除去した後、木の皮がぐじゃぐじゃになってはげるほどに煮って、皮をむいて乾かす。その後、乾かした皮を叩くことでコウゾまたはミツマタの天然纎維であるコウゾ繊維を得る。前記コウゾ繊維をトロロアオイ（黄蜀葵）の根から得たトロロアオイと混合して紙パルプを作った後、抄紙網で前記紙パルプを抄くことで韓紙を製造することができる。
【００１３】
前記二重混抄紙は単一紙層内に洋紙（パルプ紙）及び韓紙が同時に含まれている紙で、例えば韓紙上に洋紙が直接形成されていることができる。前記二重混抄紙は単一工程で製造され、隠蔽力及び加工性に優れるという利点がある。
【００１４】
前記二重混抄紙は、長網抄紙機においてコウゾパルプ及びマニラパルプを含む混合パルプを叩解槽で叩解した後、韓紙層を単独で形成し、丸網抄紙機では天然パルプ（マニラパルプ及びクラフトパルプ）を適量混合した後、長網抄紙機で製造された韓紙層抄紙上に丸網で洋紙層を形成することで製造することができる。
【００１５】
本考案において、韓紙の厚さは特に制限されるものではなく、例えば０．０２ｍｍ〜１．０ｍｍであることができる。前記韓紙の厚さが０．０２ｍｍ未満であれば、隠蔽力、引張強度及び引裂強度などが低下するおそれがあり、１．０ｍｍを超えれば、加工性及び施工性が低下するおそれがある。
【００１６】
前記韓紙は寸法安定層の片面または両面に接着剤で付着することができる。
前記接着剤の種類は特に制限されるものではなく、例えば当該分野で一般的に使われる接着剤を使うことができる。
【００１７】
本考案による壁紙１００は、図３に示すように、韓紙１２０の上部に形成された印刷層１３０をさらに含むことができる。前記印刷層は韓紙上に多様な色相の柄と文字などを付与することができる。
【００１８】
本考案において、印刷層の厚さは目的とする飾り効果を考慮して適切に制御することができる。前記印刷層の厚さは、例えば０．００２ｍｍ〜０．０５ｍｍであることができる。前記印刷層の厚さが０．００２ｍｍ未満であれば、印刷効果が低いおそれがあり、０．００５ｍｍを超えれば、加工性及び使用性が低下するおそれがある。
【００１９】
本考案の壁紙を製造する方法は特に制限されるものではなく、例えば寸法安定層を製造する第１段階；及び前記第１段階で製造された寸法安定層の片面または両面に韓紙を形成する第２段階を含む方法で製造することができる。
本考案の第１段階は寸法安定層を製造する段階であり、前記寸法安定層の種類は前述した寸法安定層の種を使うことができ、特にポリエステル纎維及びパルプを含む不織布を使うことが好ましい。
前記寸法安定層の製造は特に制限されるものではなく、例えば織造法または製紙法によって製造することができる。
【００２０】
本考案の第２段階は寸法安定層の片面または両面に韓紙を形成する段階であり、前記韓紙の種類は前述した韓紙の種類を使うことができる。
【００２１】
前記韓紙は接着剤で付着されることにより、寸法安定層の片面または両面に形成されることができる。前記接着剤は当該分野で使用可能な一般的な接着剤を制限なしに使うことができる。
【００２２】
本考案の壁紙製造方法は、２段階によって形成された韓紙上に印刷層を形成する段階をさらに含むことができる。
【００２３】
本考案の印刷層は、韓紙上に着色インクまたはコーティング液を使って印刷法などで形成することができる。
前記着色インクまたはコーティング液は公知の着色剤（染料または顔料）を決着剤樹脂とともに溶剤中に溶解させることで得ることができる。
前記着色剤の種類は特に制限されるものではなく、例えば無機顔料、有機顔料、金属粉顔料、真珠光沢顔料、蛍光顔料及び夜光顔料などよりなる群から選ばれた１種以上を使うことができる。前記無機顔料の具体的な例としては、カーボンブラック、チタンホワイト、 亜鉛白、弁柄、紺青、カドミウムレッドなどをあげることができ、有機顔料の具体的な例としては、アゾ顔料、レーキ顔料、アントラキノン顔料、キナクリドン顔料、フタロシアニン顔料、イソインドリノン顔料、ジオキサジン顔料などをあげることができ、金属粉顔料の具体的な例としては、アルミニウム粉、ブロンズ粉を持つことができる。また、真珠光沢顔料の具体的な例としては、酸化チタン被覆雲母、酸化塩化ビスマスなどをあげることができる。
【００２４】
前記着色剤には、シリカなどの無機充填剤、有機ビーズなどの体質顔料、中和剤、界面活性剤などをさらに配合することができる。
【００２５】
決着剤樹脂の種類は特に制限されるものではなく、例えばアクリル系樹脂、スチレン系樹脂、ポリエステル樹脂、ウレタン系樹脂、アクリル−ウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコン系樹脂及びゴム系樹脂などよりなる群から選ばれた１種以上を使うことができる。
【００２６】
溶剤の種類は特に制限されるものではなく、例えば石油系有機溶剤、エステル系有機溶剤、アルコール系有機溶剤、ケトン系有機溶剤、エーテル系有機溶剤、塩素系有機溶剤及び無機溶剤などよりなる群から選ばれた１種以上を使うことができる。前記石油系有機溶剤の具体的な例としては、ヘキサン、ヘプタン、オクタン、トルエン、キシレン、エチルベンゼン、シクロヘキサン、メチルシクロヘキサンなどをあげることができ、エステル系有機溶剤の具体的な例としては、酢酸エチル、酢酸ブチル、酢酸−２−メトキシエチル、酢酸−２−エトキシなどをあげることができ、アルコール系有機溶剤の具体的な例としては、メチルアルコール、エチルアルコール、ノーマルプロピルアルコール、イソプロピルアルコール、イソブチルアルコール、エチレングリコール、プロピレングリコールなどをあげることができる。また、ケトン系有機溶剤の具体的な例としては、アセトン、メチルエチルケトン、メチルイソブチルケトン、シクロヘキサノンなどをあげることができ、エーテル有機溶剤の具体的な例としては、ジエチルエーテル、ジオキサン、テトラヒドロフランなどをあげることができ、塩素系有機溶剤の具体的な例としては、ジクロロメタン、四塩化炭素、トリクロロエチレン、テトラクロロエチレンなどをあげることができ、無機溶剤の具体的な例としては、水などをあげることができる。
【００２７】
本考案で使用可能な印刷法の種類は特に制限されるものではなく、例えばグラビア印刷法、ロータリースクリーン印刷法、オフセット印刷法、シルクスクリーン印刷法、フレキソ印刷法、静電印刷法またはインクジェット印刷法などを使うことができる。本考案ではグラビア印刷法またはロータリースクリーン印刷法を使うことができる。
【００２８】
本考案において、前記寸法安定層の一面に韓紙を形成し、前記韓紙上に印刷層を形成した場合、寸法安定層の他面、つまり寸法安定層において韓紙が形成されていない面に韓紙を形成することができる。
【００２９】
この際、前記韓紙は接着剤で付着することで形成可能であり、前記接着剤は当該技術分野で使用可能な一般的な接着剤を制限なしに使うことができる
【００３０】
実施例
以下、本考案の実施例に基づいて本考案をより詳細に説明するが、本考案の範囲が下記の実施例に限定されるものではない。
【００３１】
実施例１
ポリエステル纎維及びパルプを含む不織布でなる寸法安定層（中紙）の一面に接着剤を塗布した後、韓紙（上紙）を付着した。その後、前記韓紙（上紙）上にグラビア印刷で印刷層を形成し、乾燥オーブンを通過させて接着剤をまったく乾燥させた。乾燥の後、韓紙（上紙）が付着されている寸法安定層（中紙）の反対面に接着剤を塗布した後、韓紙（下紙）を付着及び乾燥することで壁紙を製造した。
【００３２】
比較例１
韓紙（下紙）の一面に接着剤を塗布した後、韓紙（上紙）を合紙し、前記韓紙（上紙）上にグラビア印刷で印刷層を形成した後、乾燥オーブンを通過させて接着剤をまったく乾燥させることで壁紙を製造した。
【産業上の利用可能性】
【００３３】
本考案は、韓紙が付与する仄かで高級な見掛けを現しながらも、寸法安全性、施工性及び壁面隠蔽力などに優れた壁紙に適用可能である。
【符号の説明】
【００３４】
１００    壁紙
１１０    寸法安定層
１２０    韓紙
１３０    印刷層
【図１】
0003172434.tif 000003
【図２】
0003172434.tif 000004
【図３】
0003172434.tif 000005